(57)【要約】【課題】集塵袋の内部に付着し塵埃を効率的に除塵でき、吸引風の低下を減少させ、集塵性能を向上させると共に、小型化及び軽量化した電気掃除機を提供する。【解決手段】電源コード２８を巻き付けたコードリール２９と、塵埃を捕集する集塵袋１９に付着した塵埃を除塵する除塵手段２７とを備え、除塵手段２７を、電源コード２８の引き出し時および／または収納動作時に回転するコードリール２９に連動して周期的に摺動する摺動レバー３６と、摺動レバー３６に連動して周期的に動作し集塵袋１９に振動を加える振動板２６で構成し、振動板２６を円弧形状にすることでより広い面積で集塵袋１９との当接面を確保し、集塵袋１９に大きな振動を伝えることができ、集塵袋の内部に付着し堆積した塵埃を効率的に除塵でき、吸引風の低下を減少させて集塵性能を向上できると共に、除塵手段２７をコンパクトに構成でき、掃除機本体１を小型・軽量化することができる。【選択図】図３
2010178879.tif 000002
【特許請求の範囲】
【請求項１】
電動送風機と、前記電動送風機が発する吸引風により集塵した塵埃を捕集する集塵袋と、前記集塵袋と前記電動送風機との間に位置し、前記集塵袋に周期的に当接して振動を加えることで前記集塵袋に付着した塵埃を除塵する振動板とを備え、前記振動板は、前記集塵袋との当接する除塵部の断面を集塵袋側に突き出た円弧状に形成し、この円弧の頂点を前記電動送風機の吸引口中央に位置させた電気掃除機。
【請求項２】
振動板は、集塵袋と当接する除塵部を集塵袋に対して、左右方向または上下方向に円弧状に形成した請求項１に記載の電気掃除機。
【請求項３】
振動板は、集塵袋と当接する除塵部を球面状に形成した請求項１に記載の電気掃除機。
【発明の詳細な説明】
【技術分野】
【０００１】
本発明は、集塵手段に塵埃が蓄積しても吸引力の低下を防止できる電気掃除機に関するものである。
【背景技術】
【０００２】
従来のこの種の電気掃除機は、掃除機本体の後方に、吸引用の電動送風機を内蔵した電動送風機室が設けられ、前記掃除機本体の前方には集塵袋を内蔵した集塵室が備えられている。また、電動送風機室側には、電動送風機に電力を供給するための電源コード、電源コードを巻き取るためのコードリールが配設されており、前記集塵袋に付着した塵埃を除塵する除塵手段を備えている。前記除塵手段は、加振アーム体と、前記加振アーム体の一端と連動し前記集塵袋に振動を加える除塵板とを有し、前記加振アーム体の他端は、前記電源コードの引き出し時または電源コードの収納動作時に、回転する前記コードリールに形成された突起リブと係合して揺動し、それに連動して前記除塵板が揺動する構成となっている（例えば、特許文献１参照）。
【特許文献１】特開２００６―１９２０４５号公報
【発明の開示】
【発明が解決しようとする課題】
【０００３】
しかしながら、上記の構成では、除塵手段を構成している除塵板が平面状に形成されており、十分な振動を与える為には、除塵板の大きくする必要があり、掃除機本体が大型化してしまうという問題があった。
【０００４】
本発明は上記課題を解決するもので、集塵袋の内部に付着し堆積した塵埃を確実で効果的に除塵でき、吸引風の低下を減少させて集塵性能を向上させることを目的とし、かつ掃除機本体の小型化及び軽量化を目的とする。
【課題を解決するための手段】
【０００５】
前記従来の課題を解決するために本発明は、電動送風機と、前記電動送風機が発する吸引風により集塵した塵埃を捕集する集塵袋と、前記集塵袋と前記電動送風機との間に位置し、前記集塵袋に周期的に当接して振動を加えることで前記集塵袋に付着した塵埃を除塵する振動板とを備え、前記振動板は、前記集塵袋と当接する除塵部の断面を集塵袋側に突き出た円弧状に形成し、この円弧の頂点を前記電動送風機の吸引口中央に位置させたもので、前記振動板は集塵袋との当接面を円弧状とすることで広い表面積で集塵袋に大きな振動を伝えることができ、その結果、集塵袋の内部に付着し堆積した塵埃を効率的に除塵でき、吸引風の低下を減少させて集塵性能を向上できる。
【発明の効果】
【０００６】
本発明は、集塵袋の内部に付着し堆積した塵埃を効率的に除塵でき、吸引風の低下を減少させて集塵性能を向上させることができると共に、小型化及び軽量化した電気掃除機を提供することができる。
【発明を実施するための最良の形態】
【０００７】
第１の発明は、電動送風機と、前記電動送風機が発する吸引風により集塵した塵埃を捕集する集塵袋と、前記集塵袋と前記電動送風機との間に位置し、前記集塵袋に周期的に当接して振動を加えることで前記集塵袋に付着した塵埃を除塵する振動板とを備え、前記振動板は、前記集塵袋との当接する除塵部の断面を集塵袋側に突き出た円弧状に形成し、この円弧の頂点を前記電動送風機の吸引口中央に位置させたもので、前記振動板は集塵袋との当接面を円弧状とし広い表面積で集塵袋に大きな振動を伝えることができ、その結果、集塵袋に付着した塵埃を確実で効率的に除塵できるので、集塵袋の内部に付着し堆積した塵埃を効率的に除塵でき、吸引風の低下を減少させて集塵性能を向上できる。さらに振動板を円弧状にすることで、振動板と集塵袋との当接面積がより広くなり、集塵袋の内部に付着した堆積した塵埃をより効率的に除塵を行えるものである。さらに、振動板の円弧形状の円弧の頂点を電動送風機の吸引口中心部の一直線上に配置することで、電動送風機の吸引風が最も作用して塵埃が堆積しやすい部分、即ち、吸引口に対抗する部分に付着した塵埃により強い振動を加えることができるので、吸引風の低下をより減少させることができ、集塵性能を向上できる。
【０００８】
第２の発明は、特に第１の発明において、振動板は、集塵袋と当接する除塵部を集塵袋に対して、左右方向または上下方向に円弧状に形成したことによって、集塵袋の内部に付着した堆積した塵埃に対して左右方向、または、上下方向に衝撃を与えるため、より効率的に除塵でき、吸引風の低下を減少させて集塵性能を向上できる。
【０００９】
第３の発明は、特に第１の発明において、振動板は、集塵袋と当接する除塵部を球面状に形成したことによって、集塵袋との当接面を最大限大きくすることができる。
【００１０】
以下、本発明の実施の形態について、図面を参照しながら説明する。なお、この実施の形態によりこの発明が限定されるものではない。
【００１１】
（実施の形態１）
本発明の第１の実施の形態について、図１〜図１１を用いて説明する。
【００１２】
掃除機本体１は、手元ハンドル２とホース継ぎ手３付きのホース４とを介して延長管５を連結し、延長管５に取り付けられ塵埃を吸引する吸込具６に連通している。また、掃除機本体１は、前方底面にキャスター７を、後方側面に一対のローラー８を回動自在に備えている。
【００１３】
この掃除機本体１は、下ケース９と上ケース１０とで外郭を構成し、上ケース１０には持ち運び時に握る把手部１１を備えている。この掃除機本体１の後方側に電動送風機１２が配設されており、電動送風機１２は、吸引風を発するもので、前方を防振ゴム前１３で支持し、後方を防振ゴム後ろ１４を介してモーターケース１５とモーターカバー１６により支持されており、下ケース９に装着し固定するようになっている。
【００１４】
掃除機本体１の前方側は、集塵室１７が形成され、集塵室１７上方には、この集塵室１７を開閉自在に閉鎖する集塵蓋１８が設けられており、この集塵室１７内には塵埃を捕集する集塵袋１９が着脱自在に具備されている。
【００１５】
また、集塵蓋１８には隙間用ノズル等のアタッチメントを収納する収納部２０を設け、収納部２０を覆う格納蓋２１が開閉自在に軸支されている。
【００１６】
電動送風機１２を収納する電動送風機室２２と集塵室１７を仕切る仕切壁２３は、下ケース９に設けられており、この仕切壁２３の上方にはパッキン２４が設けられており、パッキン２４にて集塵室１７内の空気タイトを行い気密性を確保している。
【００１７】
電動送風機１２前方の仕切壁２３には連通口２５が設けられており、電動送風機１２と、集塵室１７とが連通するようになっている。
【００１８】
仕切壁２３と集塵袋１９との間には、集塵袋１９を叩いて振動を与える振動板２６を備えた除塵手段２７が設けられている。
【００１９】
電動送風機室２２側には、電動送風機１２に電力を供給する電源コード２８を巻き付けて収納できるコードリール２９を備えたコード巻取り装置３０が配設されており、電源コード２８の引き出し時、もしくは、収納動作させることより、前記コードリール２９も回転する構成となっている。
【００２０】
コードリール２９には、略円周状のリブ体３１が形成されており、このリブ体３１は、コードリール２９に形成された突起リブ３２の両端とつながった形状で、複数個形成し、コードリール２９の外周の内側に配設されている。
【００２１】
コード巻取り装置３０のコードリール２９は、隔壁体３３に軸支されており、この隔壁体３３には、コードリール２９の回転を制止および解放させる回転レバー３４を回動自在に軸支している。
【００２２】
回転レバー３４には、コードリール２９に形成した突起リブ３２と当接する当接部３５を略円弧状に形成して設け、振動板２６に振動を加える摺動レバー３６を摺動させる摺動操作部３７と、突起リブ３２との当接を解除する当接解除部３８を形成している。当接部３５と突起リブ３２は隔壁体３３に開口した窓部３９を通して当接する構成としている。
【００２３】
当接部３５には、突起リブ３２との接触による磨耗を防止する磨耗防止体４０をビス等の金属材で設けている。
【００２４】
さらに、当接部３５がリブ体３１又は突起リブ３２に当接する方向へ回転レバー３４を付勢する当接バネ４１を摺動操作部３７近傍に設けている。回転レバー３４の上方には、電源コード２８を巻き取る時に操作する操作部４２を備え、操作部４２には、回転レバー３４と連動し、コードリール２９の回転制止を解除するブレーキ解除部４３を形成し、操作部バネ４４により掃除機本体１上方に付勢して設けられている。
【００２５】
摺動レバー３６は、一端に回転レバー３４に設けた摺動操作部３７に当接する当接部４５を形成し、他端に振動板２６に振動を加える振動伝達部４６を形成しており、当接部４５近傍に、振動伝達部４６の方向へ摺動レバー３６を付勢する当接バネ４７が設けられている。
【００２６】
仕切壁２３には摺動レバー３６を通す開口部４８を設け、摺動レバー３６に係合溝４９を設け、係合部５０を形成した覆部材５１を係合溝４９と前記開口部４８に保持固定している。覆部材５１は、外周にフランジ状の凸部５２を形成し、ゴム等の軟質材で形成している。
【００２７】
隔壁体３３には、摺動レバー３６の動作時の傾きを防止する傾き防止リブ５３を形成し、回転レバー３４及び摺動レバー３６を覆うカバー体５４を保持固定している。カバー体５４は、隔壁体３３と同様に回動レバー３４を軸支する軸受け部を形成し、回転レバー３４を付勢している当接バネ４１を保持し、摺動レバー３６を付勢している当接バネ４７を保持している。さらに、カバー体５４は上ケース１０に形成した保持リブ５５で囲まれている。
【００２８】
一方、集塵室１７内の仕切壁２３に設けた連通口２５の前に振動板２６を軸支した挿入部５６をケース９から設け、仕切壁２３に設けた開口部４８から挿入された振動伝達部４６にセットされている。
【００２９】
振動板２６には、摺動レバー３６からの振動を受ける振動板動作部５７を設け、着脱自在に係合することができる。
【００３０】
回動レバー３４に形成した当接部３５と、摺動レバー３６と、振動板２６に形成した振動板動作部５７は、略一直線上に配置している。振動板２６の集塵袋１９に振動を加え、除塵する除塵部５８は、集塵袋１９との当接面であり、面当たりするように緩やかな円弧状を形成している。
【００３１】
そして、図１１に示すように、振動板２６の除塵部５８は、集塵袋１９側に突き出た円弧状に形成されており、この円弧の頂点５８ａと、電動送風機１２の吸引口１２ａの中心とが吸引方向で同一線上に位置するようにしている。また、振動板２６には取り外し時に指等を引っ掛けることができる凹部５９を形成している。
【００３２】
以上のように構成された電気掃除機について、以下その動作、作用を説明する。
【００３３】
電源コード２８の引き出し時、コードリール２９に形成された突起リブ３２も回動し、当接部３５が突起リブ３２に乗り上げると、回転レバー３４が回動して摺動操作部３７が移動し、摺動操作部３７が摺動レバー３６の当接部３５を押して摺動レバー３６が掃除機本体１後方へ摺動する。摺動した振動伝達部４６と係合された振動板２６は、掃除機本体１後方へ傾く。
【００３４】
当接部３５が突起リブ３２を乗り越すと衝撃力を持って回転レバー３４が回動し、元の位置に戻ると、回転レバー３４の押圧力がなくなる為、摺動レバー３６は当接バネ４７の付勢力により素早く摺動し、連動して振動板２６は、集塵袋１９の方へ衝撃力を持って移動し、集塵袋１９に大きな振動を加えることができるので、集塵袋１９の内部に付着し堆積した塵埃を効率的に除塵でき、吸引風の低下を減少させて集塵性能を向上できる。
【００３５】
また、当接部３５は複数個形成されている為、電源コード２８の引き出し時には複数回振動板２６が集塵袋１９に振動を加えることができるので、叩く回数が増し除塵効果の拡大が図れるものとなる。
【００３６】
摺動レバー３６の当接部３５を、回動レバー３４に形成した摺動操作部３７を後方向に当接する形状としているので、回動レバー３４の回転動作を水平動作にスムーズに変換でき、摺動操作部３７の動作に対し、スムーズに連動できるので、集塵袋１９の内部に付着し堆積した塵埃を効率的に除塵できる。
【００３７】
回動レバー３４はコードリール２９近傍に軸支されていると共に、回動レバー３４に形成した当接部３５と、摺動レバー３６と、振動板２６に形成した振動板動作部５７が、略一直線上に配置しているので、除塵動作を最短距離で伝達することができる。その結果、除塵手段２７をコンパクトに構成でき、掃除機本体１を小型化及び軽量化することができる。
【００３８】
コードリール２９に形成されているリブ体３１は、突起リブ３２の両端とつながった形状で形成され、コードリール２９の外周の内側に配設し、回転レバー３４の当接部３５を略円弧状に形成している為、コードリール２９が回転した時、当接部が突起リブ３２に乗り上げられる動作がスムーズとなり、その結果、除塵の際の異音を低減することができる。
【００３９】
また、当接部３５には磨耗を防止する磨耗防止体４０をビス等の金属材で設けている為、急激な磨耗を防止することができ、耐久性に優れ快適な掃除を持続できる。
【００４０】
電源コード２８の巻き取り時、操作部４２を操作すると、ブレーキ解除部４３が回転レバー３４の当接解除部３８を操作し、回転レバー３４が回動する。回転レバー３４の当接部３５が突起リブ３２に対し当接しない位置まで離れた状態に移動した直後に、コードリール２９の回転制止が解除され、電源コード２８を巻き取る。その結果、電源コード２８の巻き取り時に余分な負荷や騒音が発生せずスムーズに巻き取ることができ、使い勝手を向上できる。
【００４１】
操作部４２に形成したブレーキ解除部４３を前記操作部４２の内側に形成しているので、従来の操作部４２と同じ大きさで形成することができ、機能が追加することによる本体の大型化を防止でき、快適な掃除を行うことができる。
【００４２】
また、図１０に示すように、電源コード２８引出し時以外の時に除塵したい時、操作部４２を押し下げると、ブレーキ解除部４３が回動レバー３４に形成した当接解除部３８に当接して回動レバー３４が回動し、摺動操作部３７が移動し、摺動操作部３７が摺動レバー３６の当接部３５を押して摺動レバー３６が掃除機本体１後方へ摺動する。摺動した振動伝達部４６と係合された振動板２６は掃除機本体１後方に傾く。続けて、操作部４２から手を離すと、操作部バネ４４の弾性力により、ブレーキ解除部４３の当接解除部３８への当接が解除され、回転レバー３４が当接バネ４１の弾性力により衝撃力を持って回動し、元の位置に戻ると、回転レバー３４の押圧力がなくなる為、摺動レバー３６は当接バネ４７の付勢力により素早く摺動し、連動して振動板２６は、集塵袋１９の方へ衝撃力を持って移動し、集塵袋１９に大きな振動を加えることができるので、好きなだけ満足いくまで集塵袋１９を除塵することができ、快適な掃除を行うことができる。
【００４３】
圧力差のある電動送風機室２２と集塵室１７とで摺動レバー３６が動作しても、覆部材５１が摺動レバー３６の係合溝４９を覆い、かつ外周に凸部５２形状を形成し、仕切壁２３に保持されているので、仕切壁２３に形成した開口部４８への保持固定が確実にでき、通常使用以外の外力が加わっても外れたり、位置ズレすることがないので、集塵室１７内の気密性を常に確保し、摺動レバー３６の動作を妨げることなくスムーズに振動板２６に伝えることができる。
【００４４】
覆部材５１をゴム等の軟質材で形成し、摺動レバー３６の係合溝４９に係合されているので、摺動レバー３６の動作を妨げることなくスムーズに振動板２６に伝えることができ、集塵袋１９の内部に付着し堆積した塵埃を効率的に除塵できる。
【００４５】
振動板動作部５７の可動範囲を、摺動レバー３６の可動範囲より狭くしているので、集塵袋１９がひろがり、振動板２６を後方に押さえても、電源コード２８引出し等により摺動レバー３６は前後方向に摺動する為、振動板２６に振動を加えることができ、集塵袋１９が満杯になるまで、塵埃を吸引することができる。
【００４６】
ここで、除塵部５８は面当たりするように緩やかな円弧状で形成されおり、広い面積で集塵袋１９に当接し、しかも、最も塵埃が付着する電動送風機１２の吸込口１２ａに対抗する部分１９ａに円弧の頂点を位置させることで、この部分１９ａに対して大きな振動を与えることが出来るので、効果的に除塵できる。
【００４７】
振動板２６には取り外し時に指等を引っ掛けることができる凹部５９を形成しているので、取り外しが容易にできる。
【００４８】
振動板２６は、下ケース９より着脱可能なため、安価な電気掃除機を販売する時等、振動板２６を取り付けず、除塵機構有無でのモデルの差別化が容易にできる。また、摺動レバー２６等の除塵手段を取り外すだけで、同様にモデルの差別化が容易にできる。
【００４９】
なお、本実施の形態では、除塵部を左右方向に円弧状に形成した振動板としたが、上下方向でも効果は同様であり、さらに、除塵部を球面状に形成すると当接面の面積を大きくすることが出来、更に除塵の効果を高めることが出来る。
【産業上の利用可能性】
【００５０】
以上のように、本発明にかかる電気掃除機は、集塵袋の内部に付着し堆積した塵埃を効果的に除塵でき、吸引風の低下を減少して集塵性能を向上させることができると共に、小型化及び軽量化することができるので、家庭、業務用等の電気掃除機に特に有用である。
【図面の簡単な説明】
【００５１】
【図１】本発明の実施の形態１を示す電気掃除機の全体斜視図
【図２】同電気掃除機の中央断面図
【図３】同電気掃除機の集塵蓋を除いた全体斜視図
【図４】同電気掃除機の部分断面図
【図５】同電気掃除機の除塵手段より隔壁体とカバー体を除いた全体斜視図
【図６】同電気掃除機の除塵手段より隔壁体とカバー体を除いた右側面図
【図７】同電気掃除機の除塵手段の一部を示した部分断面図
【図８】同電気掃除機の操作部周辺部品の斜視図
【図９】同電気掃除機の当接部が突起リブに完全に乗り上げた状態を示す左側面図
【図１０】同電気掃除機の当接部が突起リブを乗り越した状態を示す左側面図
【図１１】同電気掃除機の電動送風機と振動板の配置を示す部分断面図
【符号の説明】
【００５２】
１    掃除機本体
１２  電動送風機
１９  集塵袋
２６  振動板
５８  除塵部
【図１】
2010178879.tif 000003
【図２】
2010178879.tif 000004
【図３】
2010178879.tif 000005
【図４】
2010178879.tif 000006
【図５】
2010178879.tif 000007
【図６】
2010178879.tif 000008
【図７】
2010178879.tif 000009
【図８】
2010178879.tif 000010
【図９】
2010178879.tif 000011
【図１０】
2010178879.tif 000012
【図１１】
2010178879.tif 000013